(57)【要約】【課題】光ファイバの保護に優れると共に、不要輻射の防止効果が高く、放熱効果が高い光送受信器を提供する。【解決手段】筐体２の内部に収容された光モジュール３に光ファイバ４の一端を光結合させ、その光ファイバ４の反対端を前記筐体２に設けた貫通穴５より外部に延出し、その光ファイバ４の基端部にブーツ７を装着させた光送受信器において、前記ブーツ７の表面に凹凸８を形成した。【選択図】　　　　図１
2004126269.tif 000002
【特許請求の範囲】
【請求項１】
筐体の内部に収容された光モジュールに光ファイバの一端を光結合させ、その光ファイバの反対端を前記筐体に設けた貫通穴より外部に延出し、その光ファイバの基端部にブーツを装着させた光送受信器において、前記ブーツの表面に凹凸を形成したことを特徴とする光送受信器。
【請求項２】
前記凹凸を光ファイバの軸に交わる面で切ったブーツの断面が多頂点形状になるよう形成したことを特徴とする請求項１記載の光送受信器。
【請求項３】
前記ブーツを導電性部材で構成したことを特徴とする請求項１又は２記載の光送受信器。
【請求項４】
前記ブーツを熱伝導性部材で構成したことを特徴とする請求項１〜３いずれか記載の光送受信器。
【発明の詳細な説明】
【０００１】
【発明の属する技術分野】
本発明は、ピッグテイル型の光送受信器に係り、特に、光ファイバの保護に優れると共に、不要輻射の防止効果が高く、放熱効果が高い光送受信器に関するものである。
【０００２】
【従来の技術】
光送受信器には、光ファイバが付随したピッグテイル型と呼ばれる型式がある。図２に示されるように、ピッグテイル型の光送受信器３１は、筐体（図３参照）２の内部に収容された光モジュール３に光ファイバ４の一端を光結合させ、その光ファイバ４の反対端を筐体２に設けた貫通穴５より外部に延出したものである。その外部に延出した光ファイバ４の先端には図示しないが光コネクタが装着され、筐体２から光コネクタまでが一体となったピッグテイル型の光送受信器３１が形成される。６は、光モジュール３に接続される電子回路（図示せず）を搭載している基板である。
【０００３】
光ファイバ４の基端部（貫通穴５内及び貫通穴５から出てきたところ）を外力による屈曲から保護するために、光ファイバ４の基端部にはブーツ３２を装着させる。
【０００４】
ブーツ３２は、光ファイバ４の周囲を覆うように、光ファイバ４よりも十分に径が大きい円柱状に形成される。ブーツ３２は、基端部側を光モジュール３に接し、貫通穴５より適宜な長さまで延出される。図示例ではブーツ３２の先端が段階的に細径に形成されている。
【０００５】
ブーツ３２は、通常、ゴム状の樹脂で構成されており、光ファイバ４に損傷を与えない程度の柔らかさと、外部からの力に抗して形状を維持できる程度の固さとを備えており、光ファイバ４への径方向に加わる曲げストレスを吸収して光ファイバ４や光ファイバ４と光モジュール３との結合部を守る働きをする。
【０００６】
図３に示されるように、筐体２は、筐体上部２ａと筐体下部２ｂとに分割形成されており、筐体下部２ｂに基板６、光モジュール３及びブーツ３２の端部を収容した後、筐体上部２ａを被せて接合したものである。筐体２は、電磁遮蔽と放熱のために金属で構成されている。
【０００７】
【発明が解決しようとする課題】
ところで、光モジュール３を搭載している基板６や筐体２の寸法誤差、或いは基板に対する光モジュール３の実装位置のばらつきにより、光ファイバ４を光モジュール３に光結合させたときの光ファイバ４の径方向位置が貫通穴５の中心にぴったり一致するとは限らない。光ファイバ４が貫通穴５の中心からずれているとブーツ３２が貫通穴５に収まらない。そこで、通常は、クリアランスとして貫通穴５の径をブーツ３２の径に比べて大きくしてある。
【０００８】
しかし、貫通穴５の径をブーツ３２の径より大きくした結果、貫通穴５とブーツ３２との間に隙間３３ができることになる。この隙間は次のような不利益を生じる。
【０００９】
１）ブーツ３２自体は機械的強度があることにより、光ファイバ４を曲げから保護している。ところが、貫通穴５とブーツ３２との間に隙間３３があると、ブーツ３２が径方向に移動する自由があるため、外力を受けたときに光ファイバ４にストレスがかかりやすい。
【００１０】
２）光送受信の伝送速度が高い場合、基板６上の回路が発生する電磁波の周波数も高くなり、高周波は狭い隙間からでも漏洩しやすい。よって、貫通穴５が大きいと、不要輻射が大きくなる。もちろん、貫通穴５に嵌まっているブーツ３２にはシールド効果はない。仮に、ブーツ３２にシールド効果を持たせても隙間３３からの電波漏洩は防ぐことができない。
【００１１】
３）不要輻射を小さくするために筐体２は密閉度を高くしてある。その反面、光モジュール３や基板６上の回路が発生する熱が筐体２内にこもりやすいので、筐体２表面からの放熱効果を高めたいという要望がある。ところが、貫通穴５とブーツ３２との間に隙間３３があると光モジュール３からの熱が筐体２に伝導せず、また、ブーツ３２自体も熱の伝わりにくい樹脂で作られ、放熱を考慮した形状でもないためブーツ３２からの放熱は期待できない。
【００１２】
そこで、本発明の目的は、上記課題を解決し、光ファイバの保護に優れると共に、不要輻射の防止効果が高く、放熱効果が高い光送受信器を提供することにある。
【００１３】
【課題を解決するための手段】
上記目的を達成するために本発明は、筐体の内部に収容された光モジュールに光ファイバの一端を光結合させ、その光ファイバの反対端を前記筐体に設けた貫通穴より外部に延出し、その光ファイバの基端部にブーツを装着させた光送受信器において、前記ブーツの表面に凹凸を形成したものである。
【００１４】
前記凹凸を光ファイバの軸に交わる面で切ったブーツの断面が多頂点形状になるよう形成してもよい。
【００１５】
前記ブーツを導電性部材で構成してもよい。
【００１６】
前記ブーツを熱伝導性部材で構成してもよい。
【００１７】
【発明の実施の形態】
以下、本発明の一実施形態を添付図面に基づいて詳述する。
【００１８】
図１に示されるように、本発明に係る光送受信器１は、ブーツ７の表面に多数の凹凸８を形成したものである。この凹凸８は、光ファイバ４の軸に交わる面で切ったブーツ７の断面、即ち、本図に示される断面が多頂点の星形になるよう、径の大きい部分（これを頂点という）９と直線的に径を減少させた径の小さい部分とを周方向に交互に配置して形成したものである。頂点９は、光ファイバ４の軸方向には、その軸に対して平行に延びているか又は螺旋状に延びている稜線を形成している。なお、凹凸８は、図示例のように頂点９を鋭角的にせず、丸みを帯びさせてもよい。また、頂点９が連続して稜線を形成せず、軸方向にも起伏があってもよい。頂点９の個数は任意である。
【００１９】
ブーツ７の最大径、即ち、頂点９における径は、貫通穴５の径よりやや大きいかほぼ等しい。従って、頂点９は貫通穴５の内周に接しており、貫通穴５とブーツ７の間には、分割された小さな隙間１０が多数形成されている。
【００２０】
図１及び図２に示されるように、光送受信器１は、従来と同様に、筐体２の内部に収容された光モジュール３に光ファイバ４の一端を光結合させ、その光ファイバ４の反対端を筐体２に設けた貫通穴５より外部に延出したものである。その外部に延出した光ファイバ４の先端には図示しないが光コネクタが装着され、筐体２から光コネクタまでが一体となったピッグテイル型の光送受信器３１が形成される。６は、光モジュール３に接続される電子回路（図示せず）を搭載している基板である。
【００２１】
筐体２は、従来と同様に、筐体上部２ａと筐体下部２ｂとに分割形成されており、筐体下部２ｂに基板６、光モジュール３及びブーツ７の端部を収容した後、筐体上部２ａを被せて接合したものである。筐体２は、電磁遮蔽と放熱のために金属で構成されている。
【００２２】
本発明の作用を説明する。
【００２３】
ブーツ７は、ゴム状の樹脂で構成されており、光ファイバ４に損傷を与えない程度の柔らかさと、外部からの力に抗して形状を維持できる程度の固さとを備えており、光ファイバ４への径方向に加わる曲げストレスを吸収して光ファイバ４や光ファイバ４と光モジュール３との結合部を守る働きをする。
【００２４】
従来は、隙間３３がブーツ３２の外周にほぼ連続して形成され、ブーツ３２が径方向に移動する自由があったのに対し、本発明では、ブーツ７の周囲のほとんどの頂点９が貫通穴５の内周に接しているため、ブーツ７の移動は弾力的に規制されている。ただし、光ファイバ４を光モジュール３に光結合させるために光ファイバ４が貫通穴５の中心からずれても、貫通穴５に接する頂点９が柔らかく潰れてブーツ７が貫通穴５に収まることを妨げない。
【００２５】
このように、ブーツ７が多数の頂点９によって弾力的に移動が規制されているので、外力を受けても光ファイバ４にストレスが及ばない。
【００２６】
この構造において、ブーツ７をゴム状の樹脂に金属或いは炭素等の粉末を含有させた導電性部材で構成すると、いっそうの利点がある。即ち、導電性部材で構成したブーツ７がシールド効果を持つため、貫通穴５からの電波漏洩を防ぐことができる。そして、貫通穴５とブーツ７の間には、分割された小さな隙間１０が多数形成されており、従来の連続した隙間３３よりも電波漏洩をよく防ぐことができる。これにより、不要輻射の防止効果を高めることができる。
【００２７】
ブーツ７をゴム状の樹脂に適宜な添加物を加えた熱伝導性部材で構成すると、上記とは別の利点がある。即ち、基端部側を光モジュール３に接しているブーツ７が多数の頂点９によって筐体２にも接触しており、しかもブーツ７自体が熱を伝えやすいので、ブーツ７は光モジュール３の熱をよく吸収して筐体２に伝導させることができる。また、ブーツ７の表面に多数の凹凸８を形成したことにより、光モジュール３から吸収したブーツ７の熱を従来のブーツ３２に比べて効率よく放熱することができる。特に、ファン等による強制空冷を行う場合には、一層、放熱効果が高まる。
【００２８】
ブーツ７を導電性と熱伝導性とを併せ持った部材で構成すれば、上記した２つの利点を共に得ることができる。この目的で樹脂に添加する材料としては、アルミナパウダ、セラミックパウダ、カーボンなどがある。
【００２９】
図４に示したブーツ７では、凹凸８は、周方向に傾斜させ、径の大きい部分（頂点）９から曲線的に径を減少させて隣の頂点９の内側にまで切れ込んだ小径部１１を形成したものである。断面が回転鋸歯状となっている。これにより、より柔軟な弾力を持たせると共に表面積を一層大きくすることができる。
【００３０】
図５に示したブーツ７では、凹凸８は、光ファイバ４の延びている方向に傾斜した突起１２であり、径方向及び軸方向に離散的に多数形成して襞のようにしたものである。
【００３１】
【発明の効果】
本発明は次の如き優れた効果を発揮する。
【００３２】
（１）ブーツが貫通穴とのクリアランスの中で動くのを防止できるので、光ファイバの保護に優れる。
【００３３】
（２）ブーツがシールド効果を持ち、隙間も小さくできるので、不要輻射の防止効果が高い。
【００３４】
（３）ブーツが放熱器として働くので放熱効果が高い。
【図面の簡単な説明】
【図１】本発明の一実施形態を示す光送受信器の貫通穴における光ファイバの軸に直交した断面図である。
【図２】本発明及び従来の光送受信器の筐体を除いた斜視図である。
【図３】従来の光送受信器の貫通穴における光ファイバの軸に直交した断面図である。
【図４】本発明の他の実施形態を示すブーツの断面図である。
【図５】本発明の他の実施形態を示すブーツの側面図である。
【符号の説明】
１　光送受信器
２　筐体
３　光モジュール
４　光ファイバ
５　貫通穴
７　ブーツ
８　凹凸
９　頂点
【図１】
2004126269.tif 000003
【図２】
2004126269.tif 000004
【図３】
2004126269.tif 000005
【図４】
2004126269.tif 000006
【図５】
2004126269.tif 000007